(57)【要約】      （修正有）【課題】組み合わせ管理すべき部品間における照合を、手作業によらず、正確に、容易に、かつ低コストで行うことができ、管理作業を高度化することのできる、物品組み合わせ管理方法を提供する。【解決手段】回転スタンプは、無端印字ベルト８を備えていて印字操作ごとに回転して異なる印字がなされるよう構成されており、無端印字ベルト８面に設けられた印本体３ａ、３ｂ、・・・として、少なくとも記号または図形の少なくとも一方が用いられている構成とする。印本体として、数字または文字の少なくとも一方が併せ用いられるものとしてもよいし、数字・文字のいずれも併せ用いず、記号のみ、図形のみ、または記号ならびに図形のみが用いられる構成としてもよい。【選択図】図２
2017164961.tif 000002
【特許請求の範囲】
【請求項１】
無端印字ベルトを備えていて印字操作ごとに回転して異なる印字がなされるよう構成されている回転スタンプにおいて、該無端印字ベルト面に設けられた印本体が記号または図形であることを特徴とする、回転スタンプ。
【請求項２】
前記印本体には文字または数字の少なくともいずれかが含まれていることを特徴とする、請求項１に記載の回転スタンプ。
【請求項３】
前記印本体には文字または数字のいずれも含まれていないことを特徴とする、請求項１に記載の回転スタンプ。
【請求項４】
前記無端印字ベルトを複数備えていることを特徴とする、請求項１ないし３のいずれかに記載の回転スタンプ。
【請求項５】
組み合わせ管理の対象物品を組み合わせた状態で、その境界部に請求項１ないし４のいずれかに記載の回転スタンプを用いて、割り印を行うことを特徴とする、物品組み合わせ管理方法。
【請求項６】
前記対象物品は回転電機のロータとステータであることを特徴とする、請求項５に記載の物品組み合わせ管理方法。
【請求項７】
前記対象物品はレゾルバまたはシンクロにおけるロータとステータであることを特徴とする、請求項６に記載の物品組み合わせ管理方法。
【請求項８】
組み合わされる対象物品を組み合わせた状態で、その境界部に請求項１ないし４のいずれかに記載の回転スタンプを用いて、割り印を行うことを特徴とする、割り印済み物品製造方法。
【請求項９】
前記対象物品は回転電機のロータとステータであることを特徴とする、請求項８に記載の割り印済み物品製造方法。
【請求項１０】
請求項８または９に記載の割り印済み物品製造方法により製造された対象物品を組み合わせてなる、割り印済み組み合わせ品。
【発明の詳細な説明】
【技術分野】
【０００１】
本発明は回転スタンプ、物品組み合わせ管理方法、割り印済み物品製造方法、および割り印済み組み合わせ品に係り、特に回転電機のロータとステータなど、特定の組み合わせで使う必要がある部品間における管理を確実かつ容易に行うことのできる、回転スタンプ、物品組み合わせ管理方法等に関するものである。
【背景技術】
【０００２】
レゾルバ、シンクロ等のセンサやモータといった回転電機において、ロータとステータの組み合わせを管理する方法としては、従来、ステータ記載の製造番号に対応する数値をロータに書き込むという方法が採られている。
図６は、従来のロータ・ステータ組み合わせ管理方法を示す説明図である。ロータＲの端面の一部に、ステータＳの製造番号が付されており、両者の番号を照合することによって、正しい組み合わせであることが担保され、その組み合わせで管理される。
【０００３】
さて、部品の組み合わせ管理に関しては、従来多くの技術的提案がなされている。たとえば後掲特許文献１には、コアレス電機における磁気センサの実装位置の調整を容易に行うための方法として、（ａ）回転軸・永久磁石・磁性体部材をロータに組み合わせる工程、（ｂ）電磁コイル・磁気センサ実装用の導体パターンを有する基板・磁気センサをステータに組み合わせる工程、（ｃ）ロータとステータとを組み合わせる工程、のうち工程（ｂ）において、磁気センサの出力信号が飽和しない範囲で磁気センサの出力信号のピークの大きさが最も大きくなる位置に磁気センサ位置を調整する工程を含み、導体パターンの少なくとも１つは磁気センサの実装端子の実装位置を確認するためのマークを備えた構成が開示されている。
【先行技術文献】
【特許文献】
【０００４】
【特許文献１】特開２０１２−２４４７９１号公報「コアレス電機機械装置及びコアレス電機機械装置の製造方法」
【発明の概要】
【発明が解決しようとする課題】
【０００５】
図６に示した従来の部品管理方法における一方部品の製造番号の他方部品への記入は、手作業つまり手書きによってなされる。手作業による数字の記入は簡単ではあるが、少なからず手間がかかるものであることは否めない。また、作業者の認識（一方部品の製造番号の視覚による認識）と行動（他方部品への当該番号の書き込み）に依存する組み合わせ管理であるため、誤記も発生し得る。一方、手作業に替えて専用の印字装置を導入しようとすると、相当の設備投資が必要である。
【０００６】
そこで本発明が解決しようとする課題は、かかる従来技術の問題点を踏まえ、組み合わせ管理すべき部品間における照合を、手作業によらず、正確に、容易に、かつ低コストで行うことができ、管理作業を高度化することのできる、物品組み合わせ管理方法を提供することである。
【課題を解決するための手段】
【０００７】
本願発明者は上記課題について検討した結果、スタンプ（マーキング）する毎に印字される記号が変わる回転スタンプを想到し、これによって課題を解決できることを見出し、これに基づいて本発明を完成するに至った。すなわち、上記課題を解決するための手段として本願で特許請求される発明、もしくは少なくとも開示される発明は、以下の通りである。
【０００８】
〔１〕  無端印字ベルトを備えていて印字操作ごとに回転して異なる印字がなされるよう構成されている回転スタンプにおいて、該無端印字ベルト面に設けられた印本体が記号または図形であることを特徴とする、回転スタンプ。
〔２〕  前記印本体には文字または数字の少なくともいずれかが含まれていることを特徴とする、〔１〕に記載の回転スタンプ。
〔３〕  前記印本体には文字または数字のいずれも含まれていないことを特徴とする、〔１〕に記載の回転スタンプ。
〔４〕  前記無端印字ベルトを複数備えていることを特徴とする、〔１〕ないし〔３〕のいずれかに記載の回転スタンプ。
〔５〕  組み合わせ管理の対象物品を組み合わせた状態で、その境界部に〔１〕ないし〔４〕のいずれかに記載の回転スタンプを用いて、割り印を行うことを特徴とする、物品組み合わせ管理方法。
【０００９】
〔６〕  前記対象物品は回転電機のロータとステータであることを特徴とする、〔５〕に記載の物品組み合わせ管理方法。
〔７〕  前記対象物品はレゾルバまたはシンクロにおけるロータとステータであることを特徴とする、〔６〕に記載の物品組み合わせ管理方法。
〔８〕  組み合わされる対象物品を組み合わせた状態で、その境界部に〔１〕ないし〔４〕のいずれかに記載の回転スタンプを用いて、割り印を行うことを特徴とする、割り印済み物品製造方法。
〔９〕  前記対象物品は回転電機のロータとステータであることを特徴とする、〔８〕に記載の割り印済み物品製造方法。
〔１０〕  〔８〕または〔９〕に記載の割り印済み物品製造方法により製造された対象物品を組み合わせてなる、割り印済み組み合わせ品。
【発明の効果】
【００１０】
本発明の回転スタンプ、物品組み合わせ管理方法、割り印済み物品製造方法、および割り印済み組み合わせ品は上述のように構成されるため、これによれば、回転電機のロータとステータなど、特定の組み合わせで使う必要がある部品間における管理を確実かつ容易に行うことができる。つまり、組み合わせ管理すべき部品間における照合を、手作業によらず、正確に、容易に、かつ低コストで行うことができ、管理作業を高度化することができる。
【００１１】
本発明の適用範囲は、固有の組み合わせを管理すべき物品であれば特に限定されずあらゆる技術分野・産業分野に及ぶ。たとえば回転電機、殊にレゾルバやシンクロのロータ・ステータの組み合わせ管理に用いることで、低コストでマーキングの容易化、管理の高度化を図ることができ、作業容易化による生産性の改善も図ることができる。
【図面の簡単な説明】
【００１２】
【図１】本発明の回転スタンプの外観例を示す斜視図である。
【図２】本発明の回転スタンプの無端印字ベルトの構成例を示す説明図である。
【図３】無端印字ベルトを複数備えた本発明回転スタンプの例の要部説明図である。
【図４】本発明回転スタンプの使用例を示す説明図である。
【図５】本発明回転スタンプの別の使用例を示す説明図である。
【図６】従来のロータ・ステータ組み合わせ管理方法を示す説明図である。
【発明を実施するための形態】
【００１３】
以下、図面により本発明を詳細に説明する。
図１は、本発明の回転スタンプの外観例を示す斜視図である。また、
図２は、本発明の回転スタンプの無端印字ベルトの構成例を示す説明図である。これらに図示するように本回転スタンプ１０は、無端印字ベルト８を備えていて印字操作ごとに回転して異なる印字がなされるよう構成されており、無端印字ベルト８面に設けられた印本体３ａ、３ｂ、・・・として、少なくとも記号または図形の少なくとも一方が用いられていることを、特徴的な構成とする。なお、印本体として、数字または文字の少なくとも一方が併せ用いられるものとしてもよいし、数字・文字のいずれも併せ用いず、記号のみ、図形のみ、または記号ならびに図形のみが用いられる構成としてもよい。
【００１４】
印本体３ａ等は、図示するような簡単な図形や記号を好適に用いることができるが、図の例示に限定されず、割り印によって物品照合管理に使用するのに適切なものである限り、いかなる図形や記号でも用いることができる。また、無端印字ベルト８に設けられたすべての印本体３ａ等を異なるものとしても、あるいは一定種類の図形・記号を繰り返し設けるものとしても、よい。要するに、管理すべき物品において必要な分が印本体として設けられればよい。
【００１５】
図３は、無端印字ベルトを複数備えた本発明回転スタンプの例の要部説明図である。図に例示するように、複数の無端印字ベルト８Ａ、８Ｂ、８Ｃを備えた構成とすることができ、またそのような構成とすることがより望ましい。図では３本のベルトが示されているが、設ける無端印字ベルトの数はこれに限定されない。また、印本体１３ａ等は、各無端印字ベルト８Ａ、８Ｂ等間で共通にしてもよいし、別な構成としてもよい。
【００１６】
図４は、本発明回転スタンプの使用例を示す説明図である。図は、回転電機のロータＲとステータＳとの組み合わせ管理方法を示す。図示するように、組み合わせ管理の対象物品であるところのロータＲとステータＳを組み合わせた状態で、その境界部に、上述の回転スタンプを用いて、割り印を行い、その印影の照合によって、両物品の組み合わせを管理することができる。
【００１７】
つまり、ロータＲとステータＳとの間に割り印のようにマーキングを行うことにより、固有の組み合わせの管理が可能となる。本回転スタンプは、従来市販されているナンバリングスタンプの原理・構造をそのまま応用するものであり、スタンプのたびに印本体が１個ずつ送られて替わっていくように形成されている。したがって、ロータＲとステータＳが組み合わされた各組に対して連続的にスタンプしていくことで、異なる印影が割り印されていき、組同士が識別される。たとえば図４は、そのようにして連続的に処理された３組の例として見てもよい。
【００１８】
図では、割り印による印影４５ａ、４５ｂ、４５ｃがそれぞれ付された３組の  ロータＲ‐ステータＳ  の組み合わせが示されているが、事後において、組み合わせ対象の物品同士が正しく組み合わされているか否かを、両物品組み合わせの際に形成される図形や記号等の適正さにより、直感的に把握することができる。特に、図形や記号を用いた割り印合は、文字や数字を用いた場合と比較して、直感的に把握しやすい。しかしながら上述のとおり、文字や数字の少なくとも一方を併せ用いた割り印でもよく、また文字のみ、数字のみ、あるいは文字ならびに数字のみによる割り印であってもよい。
【００１９】
つまり本発明は、特定の組み合わせで使う必要がある部品において、同一形状のものが複数ある場合に、その組み合わせを示すマーキングの方法として、マーキングする毎に印字される記号等が変わるスタンプを用いることで、作業を容易化できるものである。たとえば、同一梱包内における複数の回転電機のロータとステータの組み合わせの管理の容易化が実現できる。
【００２０】
図５は、本発明回転スタンプの別の使用例を示す説明図である。図示するように本回転スタンプによるマーキングは、１つの組に対して複数行うこととしても、もちろんよい。図では、２つの印影５５ａ、５５ｂが割り印されているものであり、このように複数の印影をスタンプすることで、照合による管理の正確さをより高めることができる。
【００２１】
また、前掲図３に示したような複数の無端印字ベルト８Ａ、８Ｂ等を備えた回転スタンプでは、一度のスタンプによって複数の印影をマーキングすることができるため、管理すべき組の数が多い場合などに便利である。
【００２２】
以上の説明に用いた回転電機や、その一部であるレゾルバまたはシンクロにおけるロータとステータの物品組み合わせ管理方法はあくまでも一例であり、本発明の適用範囲はこれらに限定されない。なお本発明の物品組み合わせ管理方法は、組み合わされる対象物品を組み合わせた状態でその境界部に回転スタンプを用いて割り印を行う割り印済み物品製造方法と把握することもできるが、これも本発明の範囲内である。また、それによって形成された割り印済み組み合わせ品もまた、本発明の範囲内である。かかる割り印は、記号、図形、文字もしくは数字から選択される一種類によるものであっても、、また、これらから選択される適宜の二種類以上によるものであっても、よい。
【産業上の利用可能性】
【００２３】
本発明の回転スタンプ、物品組み合わせ管理方法等によれば、回転電機のロータとステータなど、特定の組み合わせで使う必要がある部品間における管理を確実かつ容易に行うことができる。つまり、組み合わせ管理すべき部品間における照合を、手作業によらず、正確に、容易に、かつ低コストで行うことができ、管理作業を高度化することができる。したがって、電機分野に限らず広範な技術分野、産業分野において、産業上利用性が高い発明である。
【符号の説明】
【００２４】
３ａ、３ｂ、３ｃ、３ｄ、３ｅ、３ｆ、３ｚ、１３ａ、１３ｚ、２３ｊ、２３ｋ、３３ｒ、３３ｓ…印本体
８、８Ａ、８Ｂ、８Ｃ…無端印字ベルト
１０…回転スタンプ
４５ａ、４５ｂ、４５ｃ、５５ａ、５５ｂ…印影（マーク）
Ｒ…ロータ
Ｓ…ステータ
【図１】
2017164961.tif 000003
【図２】
2017164961.tif 000004
【図３】
2017164961.tif 000005
【図４】
2017164961.tif 000006
【図５】
2017164961.tif 000007
【図６】
2017164961.tif 000008